(57)【特許請求の範囲】
【請求項１】
ブレース材の端部がボルト接合される一端部の端面が、柱の一方の側面に対して面一又は略面一となるように前記柱に埋設された柱側第一カプラーと、
前記柱に埋設され、一端部が前記柱側第一カプラーの他端部に接続された柱側アンカー部材と、
前記柱側アンカー部材の他端部に設けられた引抜抵抗手段と、
前記柱に支持されたＨ形鋼製の梁の上側のフランジに設けられ、前記ブレース材の端部がボルト接合される梁側第一カプラーと、
前記梁の下側のフランジに設けられた梁側第二カプラーと、
前記梁側第一カプラーの下端部と前記梁側第二カプラーの上端部とに接続された梁側アンカー部材と、
前記梁側第二カプラーの下端部に接合された梁側支圧プレートと、
を備え、
前記梁側第一カプラーの上端部の端面は、前記梁が支持するスラブの上面と面一又は略面一になるように、前記スラブに埋設されている、
ブレース取付構造。
【請求項２】
前記引抜抵抗手段は、
一端部に前記柱側アンカー部材の他端部が接続され、他端部の端面が前記柱の一方の側面と反対面である他方の側面に対して面一又は略面一となるように前記柱に埋設された柱側第二カプラーと、
前記柱側第二カプラーの他端部にボルト接合された支圧部材と、
を有する、
請求項１に記載のブレース取付構造。
【請求項３】
前記引抜抵抗手段は、
前記柱に埋設され、前記柱側アンカー部材の他端部に設けられた定着体である、
請求項１に記載のブレース取付構造。
【発明の詳細な説明】
【技術分野】
【０００１】
本発明は、ブレース取付構造に関する。
【背景技術】
【０００２】
特許文献１には、ブレース材を柱やスラブに高力ボルト及び後施工アンカーを用いて固定する技術が開示されている。
【０００３】
特許文献２には、躯体に形成した貫通孔にＰＣ鋼棒を貫通させてナットで間柱部材や耐震壁を躯体に固定する技術が開示されている。
【０００４】
ここで、柱に形成した貫通孔に貫通させたＰＣ鋼棒の端部にナットでブレース材の端部（ガセットプレート等）を固定し、柱の貫通孔にグラウトを充填するブレース取付構造は、ブレース材を高い支持力で支持することが期待できる。しかし、ＰＣ鋼棒の端部が柱から突出しているので、ブレース材を取り外した後にＰＣ鋼棒を柱から撤去する必要がある。また、ＰＣ鋼棒はグラウトに固着されているため、撤去の際に粉塵が発生する。
【０００５】
或いは、柱に埋設された埋込ナットにボルトでブレース材の端部（ガセットプレート等）を固定するブレース取付構造は、埋込ナットは柱から突出していないので、ブレース材を取り外した後に埋込ナットを撤去する必要がない。しかし、埋込ナットを用いたブレース材の取付構造では、ブレース材を高い支持力で支持することが難しい。
【先行技術文献】
【特許文献】
【０００６】
【特許文献１】特開２００６−１７７１３５号公報
【特許文献２】特開２０１０−７１０４４号公報
【発明の概要】
【発明が解決しようとする課題】
【０００７】
本発明は、上記事実を鑑み、ブレース材を支持するために必要な支持力を確保しつつ、ブレース材を着脱可能に柱に取り付けることが目的である。
【課題を解決するための手段】
【０００８】
第一態様のブレース取付構造は、ブレース材の端部がボルト接合される一端部の端面が、柱の一方の側面に対して面一又は略面一となるように前記柱に埋設された第一カプラーと、前記柱に埋設され、一端部が前記第一カプラーの他端部に接続されたアンカー部材と、前記アンカー部材の他端部に設けられた引抜抵抗手段と、を備えている。
【０００９】
第一態様のブレース構造によれば、ブレース材の端部は柱に埋設された第一カプラーにボルト接合されている。第一カプラーの他端部にはアンカー部材の一端部が接続されると共に、アンカー部材の他端部には引抜抵抗手段が設けられている。よって、ブレース材を支持するために必要な支持力が確保される。
【００１０】
また、ブレース材の端部は、柱に埋設された第一カプラーの一端部にボルト接合されているので、ブレース材を取り外すことができる。また、第一カプラーの一端部の端面は、柱の一方の側面に対して面一又は略面一であるので、ブレース材を取り外した後に、柱の側面から第一カプラーが突出していない。
【００１１】
したがって、ブレース材を支持するために必要な支持力を確保しつつ、ブレース材を着脱可能に柱に取り付けることができる。
【００１２】
第二態様のブレース取付構造は、前記引抜抵抗手段は、一端部に前記アンカー部材の他端部が接続され、他端部の端面が前記柱の一方の側面と反対面である他方の側面に対して面一又は略面一となるように前記柱に埋設された第二カプラーと、前記第二カプラーの他端部にボルト接合された支圧部材と、を有している。
【００１３】
第二態様のブレース取付構造によれば、アンカー部材の他端部には第二カプラーが接続され、この第二カプラーの他端部には支圧部材がボルト接合されている。よって、ブレース材を支持するために必要な支持力が確保される。
【００１４】
また、支圧部材は、柱に埋設された第二カプラーにボルト接合されているので、取り外すことができる。また、第二カプラーの他端部の端面は柱の他方の側面に対して面一又は略面一となっているので、支圧部材を取り外した後に、柱の側面から第二カプラーが突出していない。
【００１５】
第三態様のブレース取付構造は、前記引抜抵抗手段は、前記柱に埋設され、前記アンカー部材の他端部に設けられた定着体である。
【００１６】
第三態様のブレース取付構造によれば、アンカー部材の他端部には定着体が設けられている。よって、ブレース材を支持するために必要な支持力が確保される。
【発明の効果】
【００１７】
本発明によれば、ブレース材を支持するために必要な支持力を確保しつつ、ブレース材を着脱可能に柱に取り付けることができる。
【図面の簡単な説明】
【００１８】
【図１】本発明のブレース取付構造を示す正面図である。
【図２】図１のブレース材と柱とが接合されていない状態の分解正面図である。
【図３】変形例のブレース材と柱とが接合されていない状態の分解正面図である。
【図４】（Ａ）は一期工事後の建物の水平断面を模式的に示す水平断面図であり、（Ｂ）は二期工事後の建物の水平断面を模式的に示す水平断面図である。
【発明を実施するための形態】
【００１９】
＜一実施形態＞
本発明の一実施形態に係るブレース取付構造について説明する。なお、各図において、鉛直方向を矢印Ｚで示し、水平方向における直交する２方向を矢印Ｘ及び矢印Ｙで示す。また、Ｙ方向から見た場合を正面視とする。
【００２０】
［構造］
まず、本実施形態の構造について説明する。
【００２１】
図１に示すように、建物５００は、鉄筋コンクリート製の柱１０に鉄骨製（本実施形態ではＨ形鋼）の梁２０が支持され、梁２０にスラブ３０が支持されている。そして、柱１０と梁２０とで構成される架構５０内に、本発明の一実施形態のブレース取付構造によってブレース材６０が取り付けられている。
【００２２】
ブレース材６０は、鉄骨製のブレース本体６２と、ブレース材６０の端部を構成すると共に架構５０にボルト接合されたガセットプレート６４と、を有している。なお、ブレース本体６２とガセットプレート６４とが一体となった構成であってよい。
【００２３】
図１及び図２に示すように、柱１０には、柱側第一カプラー１００、柱側第二カプラー１１０及び鉄筋やＰＣ鋼棒等で構成された柱側アンカー部材１２０が、それぞれ複数埋設されている。
【００２４】
図２に示すように、柱側第一カプラー１００は、一端部１０２の端面１０２Ａが柱１０の一方の側面１２に対して面一又は略面一となるように柱１０に埋設されている。同様に柱側第二カプラー１１０は、他端部１１４の端面１１４Ａが柱１０の一方の側面１２と反対側の他方の側面１４に対して面一又は略面一となるように柱１０に埋設されている。
【００２５】
なお、「面一（つらいち）」とは、二つの部材の面が同一平面にあり段差が無い状態のことである。本実施形態では、柱側第一カプラー１００の一端部１０２の端面１０２Ａと柱１０の一方の側面１２とが、同一平面にあり段差が無い状態又は略同一平面にあり略段差が状態のことである。同様に、柱側第二カプラー１１０の他端部１１４の端面１１４Ａと柱１０の他方の側面１４とが、同一平面にあり段差が無い状態又は略同一平面にあり略段差が状態のことである。
【００２６】
図１及び図２に示すように、柱側アンカー部材１２０は、一端部１２２が柱側第一カプラー１００の他端部１０４に螺合し、他端部１２４が柱側第二カプラー１１０の一端部１１２に螺合している。
【００２７】
図１に示すように、梁２０の上側のフランジ２２の上には複数の梁側第一カプラー２００が設けられている。また、梁２０の下側のフランジ２４の上には複数の梁側第二カプラー２１０が設けられている。なお、梁側第一カプラー２００の上端部２０２の端面２０２Ａは、スラブ３０の上面３２と面一又は略面一になるようにスラブ３０に埋設されている。
【００２８】
鉄筋やＰＣ鋼棒等で構成された梁側アンカー部材２２０は、上端部２２２が梁側第一カプラー２００の下端部２０４に螺合し、下端部２２４が梁側第二カプラー２１０の上端部２１２に螺合している。
【００２９】
なお、本実施形態では、梁２０の梁側アンカー部材２２０が設けられた領域における上側のフランジ２２と下側のフランジ２４との間には、コンクリート４０が充填されている。また、図示は省略するが、コンクリート４０は、上側（スラブ３０側）に向かうに従ってＹ方向に幅広となった逆台形状となっている。なお、このコンクリート４０は設けられていなくてもよい。
【００３０】
図１及び図２に示すように、ガセットプレート６４の側板部６６は、柱側第一カプラー１００の一端部１０２にボルト７０によって接合されている。なお、図１に示すように、ガセットプレート６４の側板部６６と柱１０の側面１２との間には、無収縮モルタル７２が充填されている。なお、無収縮モルタル７２が充填されていなくてもよい。
【００３１】
また、図１及び図２に示すように、柱１０の他方の側面１４の外側には、鋼製の柱側支圧プレート１５０が設けられ、この柱側支圧プレート１５０は、柱側第二カプラー１１０の他端部１１４にボルト７０によって接合されている。なお、柱側支圧プレート１５０と柱１０の側面１４との間には、無収縮モルタル７２が充填されている。
【００３２】
図１に示すように、ガセットプレート６４の下板部６８は、梁側第一カプラー２００の上端部２０２にボルト７０によって接合されている。なお、ガセットプレート６４の下板部６８とスラブ３０の上面３２との間には、無収縮モルタル７２が充填されている。
【００３３】
また、梁２０の下側のフランジ２４の下側には、鋼製の梁側支圧プレート１５２が設けられ、この梁側支圧プレート１５２は梁側第二カプラー２１０の下端部２１４にボルト７０によって接合されている。
【００３４】
［作用及び効果］
次に、本実施形態の作用及び効果について説明する。
【００３５】
ブレース材６０の端部を構成するガセットプレート６４は、柱１０に埋設された柱側第一カプラー１００の一端部１０２にボルト接合されている。柱側第一カプラー１００の他端部１０４には柱側アンカー部材１２０の一端部１２２が接続されると共に、この柱側アンカー部材１２０の他端部１２４には柱側第二カプラー１１０が接続されている。そして、この柱側第二カプラー１１０の他端部１１４には、柱側支圧プレート１５０がボルト接合されている。
【００３６】
また、本実施形態では、ブレース材６０の端部を構成するガセットプレート６４は、梁２０（スラブ３０）に設けられた梁側第一カプラー２００の上端部２０２にボルト接合されている。梁側第一カプラー２００の下端部２０４には梁側アンカー部材２２０の上端部２２２が接続されると共に、この梁側アンカー部材２２０の下端部２２４には梁側第二カプラー２１０が接続されている。そして、この梁側第二カプラー２１０の下端部２１４には、梁側支圧プレート１５２がボルト接合されている。
【００３７】
したがって、柱側第一カプラー１００に柱側アンカー部材１２０、柱側第二カプラー１１０及び柱側支圧プレート１５０が接合されておらず、また、梁側第一カプラー２００に梁側アンカー部材２２０、梁側第二カプラー２１０及び梁側支圧プレート１５２が接合されていない場合と比較し、ブレース材６０を高い支持力で支持することができる。つまり、ブレース材６０を支持するために必要な支持力が確保される。
【００３８】
また、ブレース材６０の端部を構成するガセットプレート６４は、柱１０及び梁２０に設けられた柱側第一カプラー１００の一端部１０２及び梁側第一カプラー２００の上端部２０２にボルト接合されているので、ブレース材６０（ブレース本体６２及びガセットプレート６４）を容易に取り外すことができる。
【００３９】
また、柱側第一カプラー１００の一端部１０２の端面１０２Ａは、柱１０の側面１２に対して面一又は略面一である。同様に柱側第二カプラー１１０の他端部１１４の端面１１４Ａは、柱１０の側面１４に対して面一又は略面一である。よって、ブレース材６０（ブレース本体６２及びガセットプレート６４）を取り外した後に、柱１０に埋設されている柱側第一カプラー１００及び柱側第二カプラー１１０は柱１０の側面１２及び側面１４から突出していない。よって、柱１０に埋設されている柱側第一カプラー１００及び柱側第二カプラー１１０を撤去する必要がない。
【００４０】
したがって、ブレース材６０を支持するために必要な支持力を確保しつつ、ブレース材６０を容易に着脱可能に取り付けることができる。
【００４１】
また、本実施形態では、梁側第一カプラー２００の上端部２０２の端面２０２Ａは、スラブ３０の上面３２に対して面一又は略面一である。よって、ブレース材６０を取り外した後に、梁側第一カプラー２００はスラブ３０の上面３２から突出していない。したがって、スラブ３０の上面３２に直接床材などを貼り付ける直貼りの場合であっても、スラブ３０に埋設されている梁側第一カプラー２００を撤去する必要がない。
【００４２】
また、柱側第一カプラー１００、柱側第二カプラー１１０及び梁側第一カプラー２００はコンクリート打設時に型枠から突出していないので、型枠に穴を開ける必要がなく、型枠工事が容易である。
【００４３】
（施工の一例）
次に、ブレース取付構造が適用された建物の施工の一例について説明する。なお、図４において、柱１０の側面を示す符号「１２、１４」は、側面１２または側面１４の意味である。
【００４４】
本施工例では、図４（Ａ）に示す一期工事後の建物５００Ａを増築時期の関係で供用を開始し、一定の期間をおいて二期工事を行い図４（Ｂ）に示す建物５００Ｂとして完成する。
【００４５】
図４（Ａ）に示すように、一期工事後の建物５００Ａの架構５０には、ブレース取付構造が適用されてブレース材６０が接合されている。
【００４６】
図４（Ｂ）に示すように、二期工事を行い建物５００Ｂが完成すると、図２に示すように、架構５０のブレース材６０を接合しているボルト７０（図１及び図２）を取り外し、ブレース材６０を取り外す。また、ガセットプレート６４の側板部６６と柱１０の側面１２との間に無収縮モルタル７２（図１参照）を充填している場合は、無収縮モルタル７２を取り除く。なお、無収縮モルタル７２（図１参照）を取り除きやすくするため、柱１０の側面１２及び側面１４と、スラブ３０の上面３２とに予め剥離剤を塗布しておいてもよい。
【００４７】
ブレース材６０が取り外された架構５０は、柱側第一カプラー１００及び柱側第二カプラー１１０が柱１０の側面１２及び側面１４から突出していないので、柱側第一カプラー１００及び柱側第二カプラー１１０を柱１０から撤去することなく、例えば、その上に外装板や壁紙などを貼り付けることができるので仕上げ工事が容易である。
【００４８】
また、柱側第一カプラー１００及び柱側第二カプラー１１０を柱１０から撤去する撤去作業に伴う騒音、振動及び粉塵等が発生しない。
【００４９】
また、本実施形態では、梁側第一カプラー２００はスラブ３０の上面３２から突出していない。よって、スラブ３０の上面３２に直接床材などを貼り付ける直貼りであっても、梁側第一カプラー２００を撤去する必要がない。
【００５０】
ここで、一期工事の架構５５０の図の左側のブレース材５６０及び二期工事の図の右側の架構５５２のブレース材５６２は、本実施形態のブレース取付構造を適用して取り付けてもよいし、本発明以外の構造で取り付けてもよい。
【００５１】
架構５５０のブレース材５６０及び架構５５２のブレース材５６２を本実施形態のブレース取付構造を適用して取り付ける場合は、例えば、架構５０から撤去したブレース材６０を架構５５２に取り付けてもよい。
【００５２】
また、一期工事後の建物５００Ａと二期工事後の建物５００Ｂとで建物剛性が変化し、最適なブレース材が異なる場合などは、図４（Ａ）の一期工事後の架構５５０のブレース材５６０を図４（Ｂ）の二期工事後の架構５５０から取り外し、別のブレース材を取り付けてもよい。
【００５３】
＜変形例＞
本発明のブレース取付構造の変形例について説明する。
【００５４】
［構造］
変形例の構造について説明する。なお、ブレース材６０の梁２０側への取付構造は、上記実施形態と同様であるので、説明を省略する。
【００５５】
図３に示すように、柱１０には、鉄筋やＰＣ鋼棒等で構成された柱側アンカー部材１３０、柱側第一カプラー１００及び定着プレート１４０がそれぞれ複数埋設されている（図３では、それぞれ一つのみ図示されている）。
【００５６】
柱側アンカー部材１３０は、一端部１３２が柱側第一カプラー１００の他端部１０４に螺合している。そして、柱側アンカー部材１３０の他端部１３４には円盤状の定着プレート１４０が設けられている。なお、定着プレート１４０の形状は限定されない。例えば、矩形板状の定着プレート１４０であってもよい。
【００５７】
［作用及び効果］
次に、本変形例の作用及び効果について説明する。
【００５８】
ブレース材６０の端部を構成するガセットプレート６４は、柱１０に埋設された柱側第一カプラー１００の一端部１０２にボルト接合されている。柱側第一カプラー１００の他端部１０４には柱側アンカー部材１３０の一端部１３２が接続されると共に、柱側アンカー部材１３０の他端部１３４には円盤状の定着プレート１４０が設けられている。したがって、ブレース材６０を支持するために必要な支持力が確保される。
【００５９】
また、柱側第一カプラー１００の一端部１０２の端面１０２Ａは、柱１０の側面１２に対して面一又は略面一である。
【００６０】
したがって、ブレース材６０を支持するために必要な支持力を確保しつつ、ブレース材６０を容易に着脱可能に取り付けることができる。
【００６１】
なお、本変形例では、柱１０の他方の側面１４には、何も露出していないので、より容易に外装板や壁紙などを貼り付けることができる。
【００６２】
＜その他＞
尚、本発明は上記実施形態に限定されない。
【００６３】
例えば、梁側第二カプラー２１０及び梁側アンカー部材２２０は必須の構成要素ではなく、梁側第一カプラー２００のみが設けられていてもよい。また、他の接合方法で、ガセットプレート６４の下板部６８と梁２０とが着脱可能に接合されていてもよい。なお、スラブ３０の上面３２からＰＣ鋼棒等が突出しても、スラブ３０の上面３２の上に間隔をあけて床材が設けられた構造（例えば、二重床構造）であれば、ＰＣ鋼棒等を撤去する必要はない。
【００６４】
また、柱側アンカー部材１２０の他端部１２４又は柱側アンカー部材１３０の他端部１３４に設けられる引抜抵抗手段は、柱側第二カプラー１１０及び柱側支圧プレート１５０、定着プレート１４０であったが、これらに限定されない。柱側アンカー部材１２０、１３０が柱１０から引き抜かれる際に抵抗となり、ブレース材６０を支持するために必要な支持力が確保されるものであればよい。
【００６５】
本発明の要旨を逸脱しない範囲において種々なる態様で実施し得ることは言うまでもない
【符号の説明】
【００６６】
１０      柱
１２      側面（一方の側面）
１４      側面（他方の側面）
３０      スラブ
６０      ブレース材
６４      ガセットプレート（端部の一例）
１００      柱側第一カプラー
１０２      一端部
１０２Ａ    端面
１０４      他端部
１１０      柱側第二カプラー（引抜抵抗手段の一例）
１１２      一端部
１１４      他端部
１１４Ａ    端面
１２０      柱側アンカー部材
１２２      一端部
１２４      他端部
１３０      柱側アンカー部材
１４０      定着プレート（定着体の一例、引抜抵抗手段の一例）
１５０      柱側支圧プレート（支圧部材の一例、引抜抵抗手段の一例）
１５２      梁側支圧プレート
２００      梁側第一カプラー
２１０      梁側第二カプラー
２２０      梁側アンカー部材
【図１】
0006670552.tif 000002
【図２】
0006670552.tif 000003
【図３】
0006670552.tif 000004
【図４】
0006670552.tif 000005